(57)【要約】【課題】貨幣釣銭機から貨幣を回収して貨幣処理機に入金させる回収処理において複数の収納カセットが用いられる場合でも、操作者が複数の収納カセットのうち１つまたはいくつかの収納カセットを貨幣処理機に装着し忘れてしまうことを抑制することができ、よって貨幣処理機において違算が発生することを防止することができる貨幣処理システム、貨幣処理機、貨幣釣銭機および貨幣処理方法を提供する。【解決手段】貨幣処理システム１０において、収納カセット４０が貨幣釣銭機２０および貨幣入出金機３０（貨幣処理機）にそれぞれ着脱自在に装着されるようになっており、回収処理において複数の収納カセット４０が用いられるときに貨幣釣銭機２０の内部から貨幣が送られた全ての収納カセット４０から貨幣入出金機３０の内部に貨幣が送られたか否かを判定する判定手段５０が設けられている。【選択図】図１
2019008601.tif 000002
【特許請求の範囲】
【請求項１】
売上金としての貨幣の入金処理および釣銭としての貨幣の出金処理を行う貨幣釣銭機と、
前記貨幣釣銭機から回収された貨幣の入金処理を行う貨幣処理機と、
を備え、
貨幣の収納および収納されている貨幣の繰り出しを行う収納カセットが前記貨幣釣銭機および前記貨幣処理機にそれぞれ着脱自在に装着されるようになっており、
前記貨幣釣銭機から貨幣を回収して前記貨幣処理機に入金させる回収処理において複数の前記収納カセットが用いられるときに前記貨幣釣銭機の内部から貨幣が送られた全ての前記収納カセットから前記貨幣処理機の内部に貨幣が送られたか否かを判定する判定手段が設けられている、貨幣処理システム。
【請求項２】
前記判定手段による判定結果に基づいて、前記回収処理において前記貨幣釣銭機の内部から貨幣が送られた全ての前記収納カセットから前記貨幣処理機の内部に貨幣が送られたか否かに係る情報を報知する報知手段を更に備えた、請求項１記載の貨幣処理システム。
【請求項３】
前記判定手段は、前記貨幣釣銭機の内部から貨幣が送られた前記収納カセットの数と、前記貨幣処理機の内部に貨幣を送った前記収納カセットとの数とが一致しない場合に、前記回収処理において前記貨幣釣銭機の内部から貨幣が送られた全ての前記収納カセットから前記貨幣処理機の内部に貨幣が送られていないと判定する、請求項１または２記載の貨幣処理システム。
【請求項４】
前記収納カセットには記憶媒体が設けられており、
前記貨幣釣銭機には、当該貨幣釣銭機に装着されている前記収納カセットに設けられている前記記憶媒体に情報を書き込む第１書込部が設けられており、
前記貨幣処理機には、当該貨幣処理機に装着されている前記収納カセットに設けられている前記記憶媒体から情報を読み取る第１読取部が設けられており、
前記回収処理において前記貨幣釣銭機の内部から最後に貨幣が送られた前記収納カセットの前記記憶媒体には前記第１書込部により最後に貨幣が送られた前記収納カセットである旨の情報および前記貨幣釣銭機の内部から貨幣が送られた前記収納カセットの数に係る情報が書き込まれるようになっており、
前記判定手段は、前記貨幣処理機の前記第１読取部により前記収納カセットに設けられている前記記憶媒体から読み取られた、前記回収処理において前記貨幣釣銭機の内部から貨幣が送られた前記収納カセットの数と、前記貨幣処理機に装着された前記収納カセットとの数とに基づいて、前記貨幣釣銭機の内部から貨幣が送られた全ての前記収納カセットから前記貨幣処理機の内部に貨幣が送られたか否かを判定する、請求項１乃至３のいずれか一項に記載の貨幣処理システム。
【請求項５】
前記回収処理において前記貨幣釣銭機に前記収納カセットが装着されたときに前記貨幣釣銭機の内部から貨幣が送られた前記収納カセットが何番目のものであるかという情報も前記第１書込部により前記収納カセットの前記記憶媒体に書き込まれるようになっている、請求項４記載の貨幣処理システム。
【請求項６】
前記回収処理において、前記貨幣処理機に最初に装着された前記収納カセットに設けられている前記記憶媒体から前記第１読取部により読み取られた情報に基づいて、前記貨幣処理機に最初に装着された前記収納カセットが前記貨幣釣銭機の内部から最後に貨幣が送られたものではない場合には、前記貨幣処理機への前記収納カセットの装着の順序に誤りがあると判定する装着順序判定手段が設けられている、請求項４または５記載の貨幣処理システム。
【請求項７】
前記貨幣釣銭機には、持ち運び可能な携帯用記憶媒体に情報を書き込む第２書込部が設けられており、
前記貨幣処理機には、前記携帯用記憶媒体から情報を読み取る第２読取部が設けられており、
前記回収処理において前記貨幣釣銭機の内部から貨幣が送られた前記収納カセットの数に係る情報が前記貨幣釣銭機の前記第２書込部により前記携帯用記憶媒体に書き込まれるようになっており、
前記判定手段は、前記貨幣処理機の前記第２読取部により前記携帯用記憶媒体から読み取られた、前記回収処理において前記貨幣釣銭機の内部から貨幣が送られた前記収納カセットの数と、前記貨幣処理機に装着された前記収納カセットとの数とに基づいて、前記貨幣釣銭機の内部から貨幣が送られた全ての前記収納カセットから前記貨幣処理機の内部に貨幣が送られたか否かを判定する、請求項１乃至３のいずれか一項に記載の貨幣処理システム。
【請求項８】
前記携帯用記憶媒体には、前記回収処理において前記貨幣釣銭機の内部から貨幣が送られた各前記収納カセットの識別情報も前記貨幣釣銭機の前記第２書込部により書き込まれるようになっており、
前記第２読取部は、前記回収処理において前記貨幣釣銭機の内部から貨幣が送られた各前記収納カセットの識別情報を前記携帯用記憶媒体から読み取るようになっている、請求項７記載の貨幣処理システム。
【請求項９】
前記貨幣釣銭機および前記貨幣処理機は通信可能に接続されており、
前記回収処理において前記貨幣釣銭機の内部から貨幣が送られた前記収納カセットの数に係る情報が前記貨幣釣銭機から前記貨幣処理機に送信されるようになっており、
前記判定手段は、前記貨幣釣銭機から前記貨幣処理機に送信された、前記回収処理において前記貨幣釣銭機の内部から貨幣が送られた前記収納カセットの数と、前記貨幣処理機に装着された前記収納カセットとの数とに基づいて、前記貨幣釣銭機の内部から貨幣が送られた全ての前記収納カセットから前記貨幣処理機の内部に貨幣が送られたか否かを判定する、請求項１乃至３のいずれか一項に記載の貨幣処理システム。
【請求項１０】
前記回収処理において前記貨幣釣銭機の内部から貨幣が送られた各前記収納カセットの識別情報も前記貨幣釣銭機から前記貨幣処理機に送信されるようになっている、請求項９記載の貨幣処理システム。
【請求項１１】
前記回収処理が途中で中断されたときに、前記貨幣釣銭機の内部から貨幣が送られたが前記貨幣処理機の内部に貨幣を送っていない前記収納カセットに係る情報を出力する未処理カセット情報出力手段が設けられている、請求項１乃至１０のいずれか一項に記載の貨幣処理システム。
【請求項１２】
前記貨幣釣銭機は複数設けられており、
前記判定手段は、前記回収処理において前記貨幣釣銭機の内部から貨幣が送られた全ての前記収納カセットから前記貨幣処理機の内部に貨幣が送られたか否かを前記貨幣釣銭機毎に判定する、請求項１乃至１１のいずれか一項に記載の貨幣処理システム。
【請求項１３】
他の装置から回収された貨幣の入金処理を少なくとも行う貨幣処理機であって、
貨幣の収納および収納されている貨幣の繰り出しを行う収納カセットが着脱自在に装着されるカセット装着部を備え、
他の装置から貨幣を回収して前記貨幣処理機に入金させる回収処理において前記カセット装着部に前記収納カセットが装着されると当該収納カセットから前記貨幣処理機の内部に貨幣が送られるようになっており、
前記回収処理において複数の前記収納カセットが用いられる際に、他の装置の内部から貨幣が送られた全ての前記収納カセットから前記貨幣処理機に貨幣が送られたか否かを判定する判定手段が設けられている、貨幣処理機。
【請求項１４】
売上金としての貨幣の入金処理および釣銭としての貨幣の出金処理を行う貨幣釣銭機であって、
貨幣の収納および収納されている貨幣の繰り出しを行う収納カセットが着脱自在に装着されるカセット装着部を備え、
前記貨幣釣銭機から貨幣を回収して他の装置に入金させる回収処理において前記カセット装着部に前記収納カセットが装着されると前記貨幣釣銭機の内部から当該収納カセットに貨幣が送られるようになっており、
前記回収処理において複数の前記収納カセットが用いられる際に、前記貨幣釣銭機の内部から貨幣が送られた前記収納カセットの数に係る情報を出力するカセット数出力手段が設けられている、貨幣釣銭機。
【請求項１５】
売上金としての貨幣の入金処理および釣銭としての貨幣の出金処理を行う貨幣釣銭機、および前記貨幣釣銭機から回収された貨幣の入金処理を行う貨幣処理機を有しており、貨幣の収納および収納されている貨幣の繰り出しを行う収納カセットが前記貨幣釣銭機および前記貨幣処理機にそれぞれ着脱自在に装着される貨幣処理システムによる貨幣処理方法であって、
前記貨幣釣銭機に前記収納カセットが装着されると、当該貨幣釣銭機の内部から前記収納カセットに貨幣を送る工程と、
前記貨幣釣銭機から取り外された前記収納カセットが前記貨幣処理機に装着されると、前記収納カセットから当該貨幣処理機の内部に貨幣を送る工程と、
を備え、
前記貨幣釣銭機から貨幣を回収して前記貨幣処理機に入金させる回収処理において複数の前記収納カセットが用いられるときに前記貨幣釣銭機の内部から貨幣が送られた全ての前記収納カセットから前記貨幣処理機の内部に貨幣が送られたか否かが判定される、貨幣処理方法。
【発明の詳細な説明】
【技術分野】
【０００１】
本発明は、紙幣や硬貨等の貨幣の処理を行う貨幣処理システム、このような貨幣処理システムにおける貨幣処理機および貨幣釣銭機、ならびにこのような貨幣処理システムによる貨幣処理方法に関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の貨幣入出金機が設置されるようになっている。ここで、フロント領域の精算所に設置される貨幣釣銭機は、商品と引き換えに顧客から店員に手渡された売上金としての貨幣の入金処理を行うとともに、釣銭としての貨幣の出金処理を行うことができるようになっている。また、バックヤード領域に設置される出納機等の貨幣入出金機は、貨幣釣銭機から回収された売上金としての貨幣の入金処理を行うとともに、貨幣釣銭機に補充されるべき釣銭準備金としての貨幣の出金処理を行うようになっている。このような貨幣釣銭機および貨幣入出金機を組み合わせた貨幣処理システムとして、例えば特許文献１等に開示されるものが従来から知られている。
【０００３】
特許文献１等に開示される従来の貨幣処理システムにおいて、紙幣を収納するとともに収納されている紙幣の繰り出しを行うことができる収納カセットにより貨幣釣銭機と貨幣入出金機との間で紙幣の受け渡しが行われるようになっている。より詳細には、収納カセットは貨幣釣銭機および貨幣入出金機にそれぞれ着脱自在に装着されるようになっており、収納カセットが貨幣釣銭機または貨幣入出金機に装着された場合においてのみ当該収納カセットから紙幣を繰り出すことができるようになっている。このことにより、貨幣釣銭機と貨幣入出金機との間で紙幣の受け渡しを行う際に悪意ある操作者により紙幣の一部が抜き取られてしまうことを防止することができるようになり、よって紙幣処理システムの防盗性を向上させることができるようになる。このような貨幣処理システムでは、貨幣釣銭機から売上金としての紙幣を回収して貨幣入出金機に入金させる際に、まず貨幣釣銭機に空状態の収納カセットを装着して貨幣釣銭機の内部にある紙幣を収納カセットに送るようにし、その後、貨幣釣銭機から収納カセットを取り出して当該収納カセットを貨幣入出金機に運搬する。その後、貨幣入出金機に収納カセットを装着することにより収納カセットから紙幣が繰り出されて当該貨幣入出金機の内部に収納される。一方、貨幣入出金機から釣銭準備金としての紙幣を出金して貨幣釣銭機に補充させる際に、まず貨幣入出金機に空状態の収納カセットを装着して貨幣入出金機の内部にある紙幣を収納カセットに送るようにし、その後、貨幣入出金機から収納カセットを取り出して当該収納カセットを貨幣釣銭機に運搬する。その後、貨幣釣銭機に収納カセットを装着することにより収納カセットから紙幣が繰り出されて当該貨幣釣銭機の内部に収納される。
【先行技術文献】
【特許文献】
【０００４】
【特許文献１】特開２０１５−２０７３１１号公報
【発明の概要】
【発明が解決しようとする課題】
【０００５】
特許文献１等に開示されるような、貨幣釣銭機および貨幣入出金機から構成される貨幣処理システムにおいて、貨幣釣銭機から回収される紙幣の量が多い場合には、複数の収納カセットが用いられる場合がある。この場合、貨幣釣銭機の内部から紙幣がそれぞれ送られた複数の収納カセットが貨幣入出金機に運搬された後、貨幣入出金機において１つずつ収納カセットから当該貨幣入出金機の内部に紙幣が収納されるようになる。しかしながら、従来では貨幣釣銭機からの貨幣の回収処理において何個の収納カセットが用いられたかを貨幣入出金機側で認識することができないため、操作者は複数の収納カセットのうち１つまたはいくつかの収納カセットを貨幣入出金機に装着し忘れてしまうおそれがある。この場合には、貨幣入出金機において違算が発生してしまうという問題がある。
【０００６】
本発明は、このような点を考慮してなされたものであり、貨幣釣銭機から貨幣を回収して貨幣処理機に入金させる回収処理において複数の収納カセットが用いられる場合でも、操作者が複数の収納カセットのうち１つまたはいくつかの収納カセットを貨幣処理機に装着し忘れてしまうことを抑制することができ、よって貨幣処理機において違算が発生することを防止することができる貨幣処理システム、貨幣処理機、貨幣釣銭機および貨幣処理方法を提供することを目的とする。
【課題を解決するための手段】
【０００７】
本発明の貨幣処理システムは、売上金としての貨幣の入金処理および釣銭としての貨幣の出金処理を行う貨幣釣銭機と、前記貨幣釣銭機から回収された貨幣の入金処理を行う貨幣処理機と、を備え、貨幣の収納および収納されている貨幣の繰り出しを行う収納カセットが前記貨幣釣銭機および前記貨幣処理機にそれぞれ着脱自在に装着されるようになっており、前記貨幣釣銭機から貨幣を回収して前記貨幣処理機に入金させる回収処理において複数の前記収納カセットが用いられるときに前記貨幣釣銭機の内部から貨幣が送られた全ての前記収納カセットから前記貨幣処理機の内部に貨幣が送られたか否かを判定する判定手段が設けられていることを特徴とする。
【０００８】
このような貨幣処理システムによれば、貨幣釣銭機から貨幣を回収して貨幣処理機に入金させる回収処理において複数の収納カセットが用いられるときに貨幣釣銭機の内部から貨幣が送られた全ての収納カセットから貨幣処理機の内部に貨幣が送られたか否かを判定することにより、操作者が複数の収納カセットのうち１つまたはいくつかの収納カセットを貨幣処理機に装着し忘れてしまうことを抑制することができ、よって貨幣処理機において違算が発生することを防止することができる。
【０００９】
本発明の貨幣処理システムは、前記判定手段による判定結果に基づいて、前記回収処理において前記貨幣釣銭機の内部から貨幣が送られた全ての前記収納カセットから前記貨幣処理機の内部に貨幣が送られたか否かに係る情報を報知する報知手段を更に備えていてもよい。
【００１０】
本発明の貨幣処理システムにおいては、前記判定手段は、前記貨幣釣銭機の内部から貨幣が送られた前記収納カセットの数と、前記貨幣処理機の内部に貨幣を送った前記収納カセットとの数とが一致しない場合に、前記回収処理において前記貨幣釣銭機の内部から貨幣が送られた全ての前記収納カセットから前記貨幣処理機の内部に貨幣が送られていないと判定するようになっていてもよい。
【００１１】
本発明の貨幣処理システムにおいては、前記収納カセットには記憶媒体が設けられており、前記貨幣釣銭機には、当該貨幣釣銭機に装着されている前記収納カセットに設けられている前記記憶媒体に情報を書き込む第１書込部が設けられており、前記貨幣処理機には、当該貨幣処理機に装着されている前記収納カセットに設けられている前記記憶媒体から情報を読み取る第１読取部が設けられており、前記回収処理において前記貨幣釣銭機の内部から最後に貨幣が送られた前記収納カセットの前記記憶媒体には前記第１書込部により最後に貨幣が送られた前記収納カセットである旨の情報および前記貨幣釣銭機の内部から貨幣が送られた前記収納カセットの数に係る情報が書き込まれるようになっており、前記判定手段は、前記貨幣処理機の前記第１読取部により前記収納カセットに設けられている前記記憶媒体から読み取られた、前記回収処理において前記貨幣釣銭機の内部から貨幣が送られた前記収納カセットの数と、前記貨幣処理機に装着された前記収納カセットとの数とに基づいて、前記貨幣釣銭機の内部から貨幣が送られた全ての前記収納カセットから前記貨幣処理機の内部に貨幣が送られたか否かを判定するようになっていてもよい。
【００１２】
この場合、前記回収処理において前記貨幣釣銭機に前記収納カセットが装着されたときに前記貨幣釣銭機の内部から貨幣が送られた前記収納カセットが何番目のものであるかという情報も前記第１書込部により前記収納カセットの前記記憶媒体に書き込まれるようになっていてもよい。
【００１３】
また、前記回収処理において、前記貨幣処理機に最初に装着された前記収納カセットに設けられている前記記憶媒体から前記第１読取部により読み取られた情報に基づいて、前記貨幣処理機に最初に装着された前記収納カセットが前記貨幣釣銭機の内部から最後に貨幣が送られたものではない場合には、前記貨幣処理機への前記収納カセットの装着の順序に誤りがあると判定する装着順序判定手段が設けられていてもよい。
【００１４】
本発明の貨幣処理システムにおいては、前記貨幣釣銭機には、持ち運び可能な携帯用記憶媒体に情報を書き込む第２書込部が設けられており、前記貨幣処理機には、前記携帯用記憶媒体から情報を読み取る第２読取部が設けられており、前記回収処理において前記貨幣釣銭機の内部から貨幣が送られた前記収納カセットの数に係る情報が前記貨幣釣銭機の前記第２書込部により前記携帯用記憶媒体に書き込まれるようになっており、前記判定手段は、前記貨幣処理機の前記第２読取部により前記携帯用記憶媒体から読み取られた、前記回収処理において前記貨幣釣銭機の内部から貨幣が送られた前記収納カセットの数と、前記貨幣処理機に装着された前記収納カセットとの数とに基づいて、前記貨幣釣銭機の内部から貨幣が送られた全ての前記収納カセットから前記貨幣処理機の内部に貨幣が送られたか否かを判定するようになっていてもよい。
【００１５】
この場合、前記携帯用記憶媒体には、前記回収処理において前記貨幣釣銭機の内部から貨幣が送られた各前記収納カセットの識別情報も前記貨幣釣銭機の前記第２書込部により書き込まれるようになっており、前記第２読取部は、前記回収処理において前記貨幣釣銭機の内部から貨幣が送られた各前記収納カセットの識別情報を前記携帯用記憶媒体から読み取るようになっていてもよい。
【００１６】
本発明の貨幣処理システムにおいては、前記貨幣釣銭機および前記貨幣処理機は通信可能に接続されており、前記回収処理において前記貨幣釣銭機の内部から貨幣が送られた前記収納カセットの数に係る情報が前記貨幣釣銭機から前記貨幣処理機に送信されるようになっており、前記判定手段は、前記貨幣釣銭機から前記貨幣処理機に送信された、前記回収処理において前記貨幣釣銭機の内部から貨幣が送られた前記収納カセットの数と、前記貨幣処理機に装着された前記収納カセットとの数とに基づいて、前記貨幣釣銭機の内部から貨幣が送られた全ての前記収納カセットから前記貨幣処理機の内部に貨幣が送られたか否かを判定するようになっていてもよい。
【００１７】
この場合、前記回収処理において前記貨幣釣銭機の内部から貨幣が送られた各前記収納カセットの識別情報も前記貨幣釣銭機から前記貨幣処理機に送信されるようになっていてもよい。
【００１８】
本発明の貨幣処理システムにおいては、前記回収処理が途中で中断されたときに、前記貨幣釣銭機の内部から貨幣が送られたが前記貨幣処理機の内部に貨幣を送っていない前記収納カセットに係る情報を出力する未処理カセット情報出力手段が設けられていてもよい。
【００１９】
本発明の貨幣処理システムにおいては、前記貨幣釣銭機は複数設けられており、前記判定手段は、前記回収処理において前記貨幣釣銭機の内部から貨幣が送られた全ての前記収納カセットから前記貨幣処理機の内部に貨幣が送られたか否かを前記貨幣釣銭機毎に判定するようになっていてもよい。
【００２０】
本発明の貨幣処理機は、他の装置から回収された貨幣の入金処理を少なくとも行う貨幣処理機であって、貨幣の収納および収納されている貨幣の繰り出しを行う収納カセットが着脱自在に装着されるカセット装着部を備え、他の装置から貨幣を回収して前記貨幣処理機に入金させる回収処理において前記カセット装着部に前記収納カセットが装着されると当該収納カセットから前記貨幣処理機の内部に貨幣が送られるようになっており、前記回収処理において複数の前記収納カセットが用いられる際に、他の装置の内部から貨幣が送られた全ての前記収納カセットから前記貨幣処理機に貨幣が送られたか否かを判定する判定手段が設けられていることを特徴とする。
【００２１】
本発明の貨幣釣銭機は、売上金としての貨幣の入金処理および釣銭としての貨幣の出金処理を行う貨幣釣銭機であって、貨幣の収納および収納されている貨幣の繰り出しを行う収納カセットが着脱自在に装着されるカセット装着部を備え、前記貨幣釣銭機から貨幣を回収して他の装置に入金させる回収処理において前記カセット装着部に前記収納カセットが装着されると前記貨幣釣銭機の内部から当該収納カセットに貨幣が送られるようになっており、前記回収処理において複数の前記収納カセットが用いられる際に、前記貨幣釣銭機の内部から貨幣が送られた前記収納カセットの数に係る情報を出力するカセット数出力手段が設けられていることを特徴とする。
【００２２】
本発明の貨幣処理方法は、売上金としての貨幣の入金処理および釣銭としての貨幣の出金処理を行う貨幣釣銭機、および前記貨幣釣銭機から回収された貨幣の入金処理を行う貨幣処理機を有しており、貨幣の収納および収納されている貨幣の繰り出しを行う収納カセットが前記貨幣釣銭機および前記貨幣処理機にそれぞれ着脱自在に装着される貨幣処理システムによる貨幣処理方法であって、前記貨幣釣銭機に前記収納カセットが装着されると、当該貨幣釣銭機の内部から前記収納カセットに貨幣を送る工程と、前記貨幣釣銭機から取り外された前記収納カセットが前記貨幣処理機に装着されると、前記収納カセットから当該貨幣処理機の内部に貨幣を送る工程と、を備え、前記貨幣釣銭機から貨幣を回収して前記貨幣処理機に入金させる回収処理において複数の前記収納カセットが用いられるときに前記貨幣釣銭機の内部から貨幣が送られた全ての前記収納カセットから前記貨幣処理機の内部に貨幣が送られたか否かが判定されることを特徴とする。
【００２３】
このような貨幣処理方法によれば、貨幣釣銭機から貨幣を回収して貨幣処理機に入金させる回収処理において複数の収納カセットが用いられるときに貨幣釣銭機の内部から貨幣が送られた全ての収納カセットから貨幣処理機の内部に貨幣が送られたか否かを判定することにより、操作者が複数の収納カセットのうち１つまたはいくつかの収納カセットを貨幣処理機に装着し忘れてしまうことを抑制することができ、よって貨幣処理機において違算が発生することを防止することができる。
【発明の効果】
【００２４】
本発明の貨幣処理システム、貨幣処理機、貨幣釣銭機および貨幣処理方法によれば、貨幣釣銭機から貨幣を回収して貨幣処理機に入金させる回収処理において複数の収納カセットが用いられる場合でも、操作者が複数の収納カセットのうち１つまたはいくつかの収納カセットを貨幣処理機に装着し忘れてしまうことを抑制することができ、よって貨幣処理機において違算が発生することを防止することができる。
【図面の簡単な説明】
【００２５】
【図１】本発明の実施の形態における貨幣処理システムの構成の一例を概略的に説明するための概略構成図である。
【図２】図１に示す貨幣処理システムにおける貨幣釣銭機および貨幣釣銭機に設けられるＰＯＳレジスタの構成を示す斜視図である。
【図３】図２に示す貨幣釣銭機における制御系の構成を示す機能ブロック図である。
【図４】図１に示す貨幣処理システムにおける貨幣入出金機の構成を示す斜視図である。
【図５】図４に示す貨幣入出金機における制御系の構成を示す機能ブロック図である。
【図６】図１に示す貨幣処理システムにおいて紙幣の回収処理が行われる際に収納カセットに設けられた記憶媒体に記憶される情報を示す表である。
【図７】図１に示す貨幣処理システムにおいて紙幣の回収処理が行われる際に貨幣入出金機の操作表示部に表示される画面を示す図である。
【図８】図１に示す貨幣処理システムにおいて紙幣の回収処理が行われる際に貨幣入出金機の操作表示部に表示される画面を示す図である。
【図９】本発明の実施の形態における貨幣処理システムの構成の他の例を概略的に説明するための概略構成図である。
【図１０】図９に示す貨幣処理システムの貨幣釣銭機における制御系の構成を示す機能ブロック図である。
【図１１】図９に示す貨幣処理システムの貨幣入出金機における制御系の構成を示す機能ブロック図である。
【図１２】図９に示す貨幣処理システムにおいてレジ担当者等の操作者により所持される携帯用記憶媒体に記憶される、紙幣の回収処理において用いられる収納カセットの情報を示す表である。
【図１３】本発明の実施の形態における貨幣処理システムの構成の更に他の例を概略的に説明するための概略構成図である。
【発明を実施するための形態】
【００２６】
以下、図面を参照して本発明の実施の形態について説明する。図１乃至図８は、本実施の形態による貨幣処理システムおよびこのような貨幣処理システムに設けられた貨幣釣銭機および貨幣入出金機等を示す図である。
【００２７】
図１に示すように、コンビニエンスストアやスーパーマーケット等の商業施設の店舗において、顧客が立ち入ることができるフロント領域１２には様々な商品が陳列された商品棚が設置されているとともに、このフロント領域１２の精算所（具体的には、対面式レジカウンター）には貨幣釣銭機２０やＰＯＳレジスタ６０（図２参照）が設置されている。ここで、フロント領域１２に複数の精算所が設けられる場合には、各精算所にそれぞれ貨幣釣銭機２０およびＰＯＳレジスタ６０が設置されるようになる。顧客がこのような精算所で精算処理を行う際に、店員は、顧客から受け取った商品の代金としての貨幣を貨幣釣銭機２０に入金したり、釣銭としての貨幣を貨幣釣銭機２０から出金して顧客に返却したりするようになっている。また、ＰＯＳレジスタ６０により、顧客が購入した商品に係る情報や貨幣釣銭機２０に収納されている貨幣に係る情報等の管理が行われるようになっている。
【００２８】
また、このような店舗における顧客の立ち入りが禁止されたバックヤード領域１４（具体的には、例えば出納室）には貨幣入出金機３０（具体的には、例えば出納機）が設置されている。ここで、バックヤード領域１４に設置される貨幣入出金機３０は、貨幣釣銭機２０から回収された店舗の売上金としての貨幣の入金処理を行うことができるようになっている。また、貨幣釣銭機２０において釣銭としての貨幣が不足する場合には、貨幣入出金機３０から釣銭準備金としての貨幣を出金し、この貨幣入出金機３０から出金された釣銭準備金としての貨幣を貨幣釣銭機２０に補充することができるようになっている。
【００２９】
本実施の形態では、このような貨幣釣銭機２０および貨幣入出金機３０を組み合わせることにより本発明に係る貨幣処理システム１０が構成されている。また、このような貨幣処理システム１０において、紙幣を収納するとともに収納されている紙幣の繰り出しを行う収納カセット４０によって貨幣釣銭機２０と貨幣入出金機３０との間で紙幣の受け渡しが行われるようになっている。このような収納カセット４０は各貨幣釣銭機２０に対応して複数設けられている。また、複数の収納カセット４０の各々には識別番号等の識別情報が対応付けられるようになっている。具体的には、各収納カセット４０には例えば００１から順に識別番号が割り当てられるようになっている。また、複数の収納カセット４０は略同一の大きさの略直方体形状のケーシングを有しており、ケーシングの内部に紙幣が収納されるようになっている。また、収納カセット４０には、当該収納カセット４０の識別情報や収納カセット４０に収納されている紙幣に関する情報等の様々な情報を記憶するＩＣタグ等の記憶媒体４２が設けられている。また、後述するように、収納カセット４０は、貨幣釣銭機２０および貨幣入出金機３０にそれぞれ着脱自在に装着されるようになっている。また、収納カセット４０の側面には開口４０ａが設けられており、収納カセット４０が貨幣釣銭機２０や貨幣入出金機３０に装着されたときに、貨幣釣銭機２０や貨幣入出金機３０の搬送部（後述）から開口４０ａを介して収納カセット４０の内部に紙幣が送られるとともに、収納カセット４０の内部から繰り出された紙幣が開口４０ａを介して貨幣釣銭機２０や貨幣入出金機３０の搬送部に送られるようになっている。
【００３０】
以下、貨幣釣銭機２０および貨幣入出金機３０の構成の詳細について説明する。
【００３１】
まず、店舗のフロント領域１２に設けられた貨幣釣銭機２０の構成の詳細について図２および図３を用いて説明する。図２に示すように、本実施の形態による貨幣釣銭機２０は、上下に並ぶよう配置された硬貨処理装置２４および包装硬貨収納装置２６と、これらの硬貨処理装置２４や包装硬貨収納装置２６の隣に並ぶよう配置された紙幣処理装置２２とを備えており、紙幣処理装置２２や硬貨処理装置２４の上面にはＰＯＳレジスタ６０が載置されるようになっている。また、硬貨処理装置２４の上部にはタッチパネル等の操作表示部２９ａが設けられている。紙幣処理装置２２および硬貨処理装置２４は、それぞれ、紙幣や硬貨の入出金処理を行うようになっている。また、包装硬貨収納装置２６は、各金種の包装硬貨（同一金種の硬貨を一定枚数（例えば、２０枚や５０枚）だけ棒状にまとめてフィルムや包装紙等により包装したもの）を取り出し可能に収納するようになっている。また、紙幣や硬貨以外の媒体（例えば、商品券等）を包装硬貨収納装置２６に収納することができるようになっている。また、ＰＯＳレジスタ６０は、貨幣釣銭機２０の管理を行う管理装置として用いられるようになっている。
【００３２】
紙幣処理装置２２には、筐体の外部から内部に紙幣を投入するための投入部と、筐体の内部で紙幣を１枚ずつ搬送する搬送部と、搬送部により搬送される紙幣の金種、真偽、正損、搬送状態等の識別を行う識別部と、筐体の内部から外部に紙幣を払い出すための払出部とがそれぞれ設けられている。また、図３に示すように、紙幣処理装置２２には、搬送部から送られた紙幣を収納するとともに収納されている紙幣を搬送部に１枚ずつ繰り出し可能な収納繰出部２２ａが設けられている。なお、上述した投入部、搬送部、識別部、払出部等により、紙幣の処理を行う紙幣処理部２２ｂが構成されている。また、紙幣処理装置２２には、収納カセット４０が装着されるカセット装着部２２ｃが設けられている。ここで、収納カセット４０が紙幣処理装置２２のカセット装着部２２ｃに装着されているときに、紙幣処理装置２２に設けられた搬送部（図示せず）から開口４０ａを介して紙幣が収納カセット４０の内部に送られたり、収納カセット４０に収納されている紙幣が開口４０ａを介して紙幣処理装置２２の搬送部に繰り出されたりするようになっている。より詳細には、収納カセット４０の内部には、当該収納カセット４０に収納されている紙幣を開口４０ａから外部に繰り出す紙幣繰出機構が設けられている。また、収納カセット４０が紙幣処理装置２２のカセット装着部２２ｃに装着されているときに、紙幣処理装置２２側から収納カセット４０の紙幣繰出機構に動力が伝達されるようになっている。このように、収納カセット４０が紙幣処理装置２２のカセット装着部２２ｃから取り出された状態では当該収納カセット４０に収納されている紙幣を外部に繰り出させることができないため、収納カセット４０に収納されている紙幣のセキュリティ性を向上させることができる。また、紙幣処理装置２２には、カセット装着部２２ｃに装着されている収納カセット４０の記憶媒体４２から情報を読み取ったり当該記憶媒体４２に情報を書き込んだりするリーダライタ２２ｄが設けられている。
【００３３】
硬貨処理装置２４には、筐体の外部から内部に硬貨を投入するための投入部と、筐体の内部で硬貨を１枚ずつ搬送する搬送部と、搬送部により搬送される硬貨の金種、真偽、正損、搬送状態等の識別を行う識別部と、筐体の内部から外部に硬貨を払い出すための払出部とがそれぞれ設けられている。また、図３に示すように、硬貨処理装置２４には、搬送部から送られた硬貨を収納するとともに収納されている硬貨を搬送部に１枚ずつ繰り出し可能な収納繰出部２４ａが設けられている。なお、上述した投入部、搬送部、識別部、払出部等により、硬貨の処理を行う硬貨処理部２４ｂが構成されている。
【００３４】
包装硬貨収納装置２６には、筐体の内部から手前側に引出可能となっている収納ドロア（図示せず）と、収納ドロアを筐体の内部でロックするロック機構２６ａとがそれぞれ設けられている。ここで、収納ドロアには複数の包装硬貨が収納されるようになっている。また、ロック機構２６ａによる収納ドロアのロックが解除されると、操作者は収納ドロアを筐体の内部から手前側に引き出してこの収納ドロアから包装硬貨を取り出したり当該収納ドロアに包装硬貨を収納したりすることができるようになっている。また、収納ドロアには、紙幣や硬貨以外の媒体（例えば、商品券等）も収納させることができるようになっている。
【００３５】
次に、このような貨幣釣銭機２０における制御系の構成について図３を用いて説明する。図３に示すように、貨幣釣銭機２０にはＣＰＵ（中央演算処理ユニット）等の制御部２８が設けられており、紙幣処理装置２２、硬貨処理装置２４および包装硬貨収納装置２６の各構成部材がそれぞれ当該制御部２８に接続されている。このことにより、リーダライタ２２ｄにより収納カセット４０の記憶媒体４２から読み取られた情報は制御部２８に送られるようになる。また、制御部２８は紙幣処理装置２２、硬貨処理装置２４および包装硬貨収納装置２６の各構成部材に指令を送ることによりこれらの構成部材の制御を行うことができるようになっている。また、図３に示すように、制御部２８には操作表示部２９ａ、記憶部２９ｂ、通信インターフェース部２９ｃおよび印字部２９ｄがそれぞれ接続されている。操作表示部２９ａには、紙幣処理装置２２、硬貨処理装置２４および包装硬貨収納装置２６に収納されている紙幣や硬貨の在高等に関する情報や、紙幣や硬貨の処理状況に係る情報等が表示されるようになっている。また、操作者は操作表示部２９ａにより制御部２８に様々な指令を入力することができるようになっている。また、記憶部２９ｂには、紙幣処理装置２２、硬貨処理装置２４および包装硬貨収納装置２６に収納されている紙幣や硬貨の在高等に関する情報や、紙幣や硬貨の処理履歴に係る情報等が記憶されるようになっている。また、制御部２８は通信インターフェース部２９ｃによりＰＯＳレジスタ６０等の外部装置に対して信号の送受信を行うことができるようになっている。また、印字部２９ｄは、紙幣処理装置２２、硬貨処理装置２４および包装硬貨収納装置２６に収納されている紙幣や硬貨の在高等に関する情報や、紙幣や硬貨の処理履歴に係る情報等をレシートに印字するようになっている。
【００３６】
次に、店舗のバックヤード領域１４に設けられた出納機等の貨幣入出金機３０の構成の詳細について図４および図５を用いて説明する。ここで、バックヤード領域１４に設置される貨幣入出金機３０は、貨幣釣銭機２０から回収された店舗の売上金としての貨幣の入金処理を行うことができるようになっている。また、貨幣釣銭機２０において釣銭としての貨幣が不足する場合には、貨幣入出金機３０から釣銭準備金としての貨幣を出金し、この貨幣入出金機３０から出金された釣銭準備金としての貨幣を貨幣釣銭機２０に補充することができるようになっている。
【００３７】
図４に示すように、貨幣入出金機３０は、紙幣の入金処理および出金処理を行う紙幣処理装置３２、硬貨の入金処理および出金処理を行う硬貨処理装置３４、および包装硬貨を収納する包装硬貨収納装置３６を備えている。図４に示すように、紙幣処理装置３２および硬貨処理装置３４は貨幣入出金機３０を手前側から見て左右に並ぶよう配置されており、これらの紙幣処理装置３２および硬貨処理装置３４の下方に包装硬貨収納装置３６が配置されている。また、硬貨処理装置３４の上部にはタッチパネル等の操作表示部３９ａが設けられている。紙幣処理装置３２および硬貨処理装置３４は、それぞれ、紙幣や硬貨の入出金処理を行うようになっている。また、包装硬貨収納装置３６は、各金種の包装硬貨を取り出し可能に収納するようになっている。また、紙幣や硬貨以外の媒体（例えば、商品券等）を包装硬貨収納装置３６に収納することができるようになっている。
【００３８】
紙幣処理装置３２には、筐体の外部から内部に紙幣を投入するための投入部と、筐体の内部で紙幣を１枚ずつ搬送する搬送部と、搬送部により搬送される紙幣の金種、真偽、正損、搬送状態等の識別を行う識別部と、筐体の内部から外部に紙幣を払い出すための払出部とがそれぞれ設けられている。また、図５に示すように、紙幣処理装置３２には、搬送部から送られた紙幣を収納するとともに収納されている紙幣を搬送部に１枚ずつ繰り出し可能な収納繰出部３２ａが設けられている。また、紙幣処理装置３２には、搬送部から送られた紙幣を収納する回収カセット（図示せず）が設けられており、警送会社等の警備員は回収カセットに収納されている紙幣を回収カセットごと紙幣処理装置３２から回収することができるようになっている。なお、上述した投入部、搬送部、識別部、払出部等により、紙幣の処理を行う紙幣処理部３２ｂが構成されている。また、紙幣処理装置３２には、収納カセット４０が装着されるカセット装着部３２ｃが設けられている。ここで、収納カセット４０が紙幣処理装置３２のカセット装着部３２ｃに装着されているときに、紙幣処理装置３２に設けられた搬送部（図示せず）から開口４０ａを介して紙幣が収納カセット４０の内部に送られたり、収納カセット４０に収納されている紙幣が開口４０ａを介して紙幣処理装置３２の搬送部に繰り出されたりするようになっている。より詳細には、収納カセット４０が紙幣処理装置３２のカセット装着部３２ｃに装着されているときに、紙幣処理装置３２側から収納カセット４０の紙幣繰出機構に動力が伝達されるようになっている。また、紙幣処理装置３２には、カセット装着部３２ｃに装着されている収納カセット４０の記憶媒体４２から情報を読み取ったり当該記憶媒体４２に情報を書き込んだりするリーダライタ３２ｄが設けられている。
【００３９】
硬貨処理装置３４には、筐体の外部から内部に硬貨を投入するための投入部と、筐体の内部で硬貨を１枚ずつ搬送する搬送部と、搬送部により搬送される硬貨の金種、真偽、正損、搬送状態等の識別を行う識別部と、筐体の内部から外部に硬貨を払い出すための払出部とがそれぞれ設けられている。また、図５に示すように、硬貨処理装置３４には、搬送部から送られた硬貨を収納するとともに収納されている硬貨を搬送部に１枚ずつ繰り出し可能な収納繰出部３４ａが設けられている。また、硬貨処理装置３４には、搬送部から送られた硬貨を収納する回収カセット（図示せず）が設けられており、警送会社等の警備員は回収カセットに収納されている硬貨を回収カセットごと硬貨処理装置３４から回収することができるようになっている。なお、上述した投入部、搬送部、識別部、払出部等により、硬貨の処理を行う硬貨処理部３４ｂが構成されている。
【００４０】
包装硬貨収納装置３６には、筐体の内部から手前側に引出可能となっている収納ドロア（図示せず）と、収納ドロアを筐体の内部でロックするロック機構３６ａとがそれぞれ設けられている。ここで、収納ドロアには複数の包装硬貨が収納されるようになっている。また、ロック機構３６ａによる収納ドロアのロックが解除されると、操作者は収納ドロアを筐体の内部から手前側に引き出してこの収納ドロアから包装硬貨を取り出したり当該収納ドロアに包装硬貨を収納したりすることができるようになっている。また、収納ドロアには、紙幣や硬貨以外の媒体（例えば、商品券等）も収納させることができるようになっている。
【００４１】
次に、このような貨幣入出金機３０における制御系の構成について図５を用いて説明する。図５に示すように、貨幣入出金機３０にはＣＰＵ（中央演算処理ユニット）等の制御部３８が設けられており、紙幣処理装置３２、硬貨処理装置３４および包装硬貨収納装置３６の各構成部材がそれぞれ当該制御部３８に接続されている。このことにより、リーダライタ３２ｄにより収納カセット４０の記憶媒体４２から読み取られた情報は制御部３８に送られるようになる。また、制御部３８は紙幣処理装置３２、硬貨処理装置３４および包装硬貨収納装置３６の各構成部材に指令を送ることによりこれらの構成部材の制御を行うことができるようになっている。また、図５に示すように、制御部３８には操作表示部３９ａ、記憶部３９ｂ、通信インターフェース部３９ｃおよび印字部３９ｄがそれぞれ設けられている。操作表示部３９ａには、紙幣処理装置３２、硬貨処理装置３４および包装硬貨収納装置３６に収納されている紙幣や硬貨の在高等に関する情報や、紙幣や硬貨の処理状況に係る情報等が表示されるようになっている。また、操作者は操作表示部３９ａにより制御部３８に様々な指令を入力することができるようになっている。また、記憶部３９ｂには、紙幣処理装置３２、硬貨処理装置３４および包装硬貨収納装置３６に収納されている紙幣や硬貨の在高等に関する情報や、紙幣や硬貨の処理履歴に係る情報等が記憶されるようになっている。また、制御部３８は通信インターフェース部３９ｃにより上位端末等の外部装置に対して信号の送受信を行うことができるようになっている。なお、制御部３８は通信インターフェース部３９ｃにより警送会社の管理センターに設けられた管理コンピュータ等に対して信号の送受信を行うことができるようになっていてもよい。また、印字部３９ｄは、紙幣処理装置３２、硬貨処理装置３４および包装硬貨収納装置３６に収納されている紙幣や硬貨の在高等に関する情報や、紙幣や硬貨の処理履歴に係る情報等をレシートに印字するようになっている。
【００４２】
また、図５に示すように、制御部３８には判定手段５０および装着順序判定手段５２がそれぞれ接続されている。判定手段５０は、貨幣釣銭機２０から貨幣を回収して貨幣入出金機３０に入金させる回収処理において複数の収納カセット４０が用いられるときに貨幣釣銭機２０の内部から紙幣が送られた全ての収納カセット４０から貨幣入出金機３０の内部に紙幣が送られたか否かを判定するようになっている。また、装着順序判定手段５２は、上述した回収処理において複数の収納カセット４０が用いられるときに貨幣入出金機３０への収納カセット４０の装着の順序に誤りがあるか否かを判定するようになっている。これらの判定手段５０および装着順序判定手段５２の機能の詳細については後述する。
【００４３】
次に、図１乃至図５に示す貨幣処理システム１０において、図１において参照符合（ａ）で示すような貨幣釣銭機２０から売上金としての貨幣を回収して貨幣入出金機３０に収納させる動作（以下、回収処理ともいう）や、図１において参照符合（ｂ）で示すような貨幣入出金機３０から釣銭準備金としての貨幣を出金して貨幣釣銭機２０に補充する動作（以下、補充処理ともいう）について以下に説明する。
【００４４】
まず、貨幣処理システム１０において回収処理が行われる際の動作（すなわち、図１において参照符合（ａ）で示す動作）について説明する。店舗の営業時間が終了すると、精算所で商品の精算業務を行っていたレジ担当者は貨幣釣銭機２０から貨幣や貨幣以外の媒体（例えば、商品券等）を回収する。具体的には、レジ担当者は、紙幣処理装置２２のカセット装着部２２ｃに空状態の収納カセット４０を装着することにより、紙幣処理装置２２の収納繰出部２２ａに収納されている売上金としての紙幣を収納カセット４０に収納させる。また、レジ担当者は、硬貨処理装置２４において収納繰出部２４ａに収納されている売上金としての硬貨の出金処理を行う。そして、硬貨処理装置２４から出金された硬貨をレジ担当者は収納ケース（図示せず）に手で収納する。また、レジ担当者は、包装硬貨収納装置２６に収納されている紙幣や硬貨以外の媒体（例えば、商品券等）を手で取りだし、この取り出された媒体を収納ケースに手で収納する。また、紙幣処理装置２２および硬貨処理装置２４等から売上金としての紙幣や硬貨が回収されると、紙幣処理装置２２および硬貨処理装置２４から回収された紙幣や硬貨に係る情報（具体的には、金種毎の枚数）等がリーダライタ２２ｄにより収納カセット４０の記憶媒体４２に書き込まれるようになる。また、貨幣釣銭機２０が設置されている精算所の識別番号や、レジ担当者の識別番号がリーダライタ２２ｄにより収納カセット４０の記憶媒体４２に書き込まれるようになっていてもよい。また、本実施の形態では、後述するように、回収処理において複数の収納カセット４０が用いられる場合に、カセット装着部２２ｃに装着された収納カセット４０が最終カセットであるか否かという情報や、回収処理において何番目に用いられたかという情報がリーダライタ２２ｄにより収納カセット４０の記憶媒体４２に書き込まれるようになっている。また、レジ担当者が貨幣釣銭機２０から貨幣や貨幣以外の媒体を回収する際に、回収された貨幣等に関する情報がプリンタ等の印字部２９ｄによりレシートに印字される。レジ担当者は、プリンタ等の印字部２９ｄにより印字されたレシートも収納ケースに手で収納する。
【００４５】
そして、フロント領域１２において貨幣釣銭機２０から貨幣や貨幣以外の媒体を回収したレジ担当者は、収納カセット４０および収納ケースをまとめてフロント領域１２からバックヤード領域１４に運搬する。その後、レジ担当者は収納カセット４０を貨幣入出金機３０の紙幣処理装置３２におけるカセット装着部３２ｃに装着する。このことにより、収納カセット４０に収納されている売上金としての紙幣が当該収納カセット４０から繰り出されて紙幣処理装置３２の筐体の内部に送られ、この紙幣処理装置３２の収納繰出部３２ａに収納されるようになる。また、レジ担当者は収納ケースから売上金としての硬貨を取り出し、この取り出された硬貨を硬貨処理装置３４に入金する。このことにより、硬貨処理装置２４から回収された売上金としての硬貨が硬貨処理装置３４の収納繰出部３４ａに収納されるようになる。また、レジ担当者は収納ケースから紙幣や硬貨以外の媒体（例えば、商品券等）を手で取りだし、この取り出された媒体を包装硬貨収納装置３６に収納する。また、本実施の形態では、収納カセット４０が貨幣入出金機３０の紙幣処理装置３２におけるカセット装着部３２ｃに装着されると、この収納カセット４０の記憶媒体４２に記憶されている情報がリーダライタ３２ｄにより読み取られる。このことにより、収納カセット４０に収納されていた、紙幣処理装置２２および硬貨処理装置２４から回収された紙幣や硬貨に係る情報（具体的には、紙幣や硬貨の金種毎の枚数）等が貨幣入出金機３０の制御部３８により管理されるようになる。
【００４６】
次に、貨幣処理システム１０において補充処理が行われる際の動作（すなわち、図１において参照符合（ｂ）で示す動作）について説明する。店舗の営業時間前に、レジ担当者は釣銭用として貨幣釣銭機２０に収納しておくべき硬貨や紙幣（すなわち、釣銭準備金としての紙幣や硬貨）を貨幣入出金機３０から出金する。具体的には、レジ担当者は、紙幣処理装置３２のカセット装着部３２ｃに空状態の収納カセット４０を装着することにより、紙幣処理装置３２の収納繰出部３２ａから釣銭準備金としての紙幣を繰り出させて収納カセット４０に収納させる。また、レジ担当者は、硬貨処理装置３４において収納繰出部３４ａに収納されている硬貨の出金処理を行う。そして、硬貨処理装置３４から出金された釣銭準備金としての硬貨をレジ担当者は収納ケース（図示せず）に手で収納する。また、レジ担当者は、包装硬貨収納装置３６に収納されている包装硬貨を手で取りだし、この取り出された包装硬貨を収納ケースに手で収納する。また、紙幣処理装置３２および硬貨処理装置３４等から釣銭準備金としての紙幣や硬貨が出金されると、紙幣処理装置３２および硬貨処理装置３４から出金された紙幣や硬貨に係る情報（具体的には、金種毎の枚数）等がリーダライタ３２ｄにより収納カセット４０の記憶媒体４２に書き込まれるようになる。また、紙幣処理装置３２および硬貨処理装置３４から出金された紙幣や硬貨が補充されるべき貨幣釣銭機２０が設置されている精算所の識別番号や、出金処理を行ったレジ担当者の識別番号がリーダライタ３２ｄにより収納カセット４０の記憶媒体４２に書き込まれるようになっていてもよい。
【００４７】
そして、釣銭準備金としての紙幣や硬貨が収納カセット４０や収納カセットに収納されると、レジ担当者は収納カセット４０や収納カセットをバックヤード領域１４からフロント領域１２に運搬する。その後、レジ担当者は収納カセット４０を貨幣釣銭機２０の紙幣処理装置２２におけるカセット装着部２２ｃに装着する。このことにより、収納カセット４０に収納されている釣銭準備金としての紙幣が当該収納カセット４０から繰り出されて紙幣処理装置２２の筐体の内部に送られ、この紙幣処理装置２２の収納繰出部２２ａに収納されるようになる。また、レジ担当者は収納ケースから釣銭準備金としての硬貨を取り出し、この取り出された硬貨を硬貨処理装置２４に入金する。このことにより、硬貨処理装置３４から出金された釣銭準備金としての硬貨が硬貨処理装置２４の収納繰出部２４ａに収納されるようになる。また、レジ担当者は収納ケースから釣銭準備金としての包装硬貨を手で取りだし、この取り出された包装硬貨を包装硬貨収納装置２６に収納する。また、本実施の形態では、収納カセット４０が貨幣釣銭機２０の紙幣処理装置２２におけるカセット装着部２２ｃに装着されると、この収納カセット４０の記憶媒体４２に記憶されている情報がリーダライタ２２ｄにより読み取られる。このことにより、収納カセット４０に収納されていた、紙幣処理装置３２および硬貨処理装置３４から出金された釣銭準備金としての紙幣や硬貨に係る情報（具体的には、紙幣や硬貨の金種毎の枚数）等が貨幣釣銭機２０の制御部２８により管理されるようになる。
【００４８】
また、本実施の形態の貨幣処理システム１０において、貨幣釣銭機２０から回収される紙幣の量が多い場合には、１回の取引において（言い換えると、１回の回収処理において）複数の収納カセット４０が用いられる場合がある。この場合、貨幣釣銭機２０における紙幣処理装置２２の内部（具体的には、収納繰出部２２ａ）から紙幣がそれぞれ送られた複数の収納カセット４０が貨幣入出金機３０に運搬された後、貨幣入出金機３０において１つずつ収納カセット４０から当該貨幣入出金機３０の紙幣処理装置３２の内部（具体的には、収納繰出部３２ａ）に紙幣が収納されるようになる。ここで、従来の貨幣処理システムでは、貨幣釣銭機からの紙幣の回収処理において何個の収納カセットが用いられたかを貨幣入出金機側で認識することができないため、操作者は複数の収納カセットのうち１つまたはいくつかの収納カセットを貨幣入出金機に装着し忘れてしまうおそれがあった。この場合には、貨幣入出金機において違算が発生してしまうという問題があった。これに対し、本実施の形態では、１回の回収処理において複数の収納カセット４０が用いられるときに貨幣釣銭機２０における紙幣処理装置２２の内部（具体的には、収納繰出部２２ａ）から紙幣が送られた全ての収納カセット４０から貨幣入出金機３０における紙幣処理装置３２の内部（具体的には、収納繰出部３２ａ）に紙幣が送られたか否かを判定手段５０により判定するようになっている。このことにより、操作者が複数の収納カセット４０のうち１つまたはいくつかの収納カセット４０を貨幣入出金機３０の紙幣処理装置３２に装着し忘れてしまうことを抑制することができ、よって貨幣入出金機３０において違算が発生することを防止することができるようになる。このような技術的事項の詳細について以下に述べる。
【００４９】
貨幣処理システム１０において複数の収納カセット４０を用いた回収処理が行われる際に、複数の収納カセット４０のうちある一つの収納カセット４０（空状態の収納カセット４０）が紙幣処理装置２２のカセット装着部２２ｃに装着され、紙幣処理装置２２の収納繰出部２２ａに収納されている売上金としての紙幣がこの収納カセット４０に収納されると、カセット装着部２２ｃに装着された収納カセット４０が最終カセットであるか否かという情報や、回収処理において何番目に用いられたかという情報がリーダライタ２２ｄにより収納カセット４０の記憶媒体４２に書き込まれる。このような収納カセット４０の記憶媒体４２に書き込まれた情報の詳細を図６に示す。上述したように、記憶媒体４２には収納カセット４０の識別情報（具体的には、収納カセット４０の識別番号）が記憶されている。また、記憶媒体４２には、カセット装着部２２ｃに装着された収納カセット４０が最終カセットであるか否かという情報がリーダライタ２２ｄにより書き込まれるようになる。具体的には、図６に示すように、最終カセットではない場合には「０」、最終カセットである場合には「１」という情報が記憶媒体４２に書き込まれる（図６に示す例では、回収処理において識別番号：００１の収納カセット４０が紙幣処理装置２２のカセット装着部２２ｃに最後に装着されている）。また、図６に示すように、記憶媒体４２には、回収処理において何番目に用いられた収納カセット４０であるかという情報がリーダライタ２２ｄにより書き込まれるようになる（図６に示す例では、回収処理において識別番号：００１の収納カセット４０が５番目に紙幣処理装置２２のカセット装着部２２ｃに装着されており、この収納カセット４０が１回の回収処理において最後にカセット装着部２２ｃに装着されたものである）。
【００５０】
そして、レジ担当者により複数の収納カセット４０がフロント領域１２からバックヤード領域１４に運搬され、各収納カセット４０が貨幣入出金機３０の紙幣処理装置３２におけるカセット装着部３２ｃに１つずつ装着されるが、本実施の形態では最後に貨幣釣銭機２０の紙幣処理装置２２から紙幣が送られた収納カセット４０を最初に貨幣入出金機３０の紙幣処理装置３２におけるカセット装着部３２ｃに装着するような運用ルールが適用されている。具体的には、貨幣入出金機３０の紙幣処理装置３２におけるカセット装着部３２ｃに収納カセット４０が装着されるとこの収納カセット４０に設けられている記憶媒体４２からリーダライタ３２ｄにより情報が読み取られるが、貨幣釣銭機２０の紙幣処理装置２２におけるカセット装着部２２ｃに最後に装着された収納カセット４０であるか否かという情報（すなわち、最後に貨幣釣銭機２０の紙幣処理装置２２から紙幣が送られたか否かという情報）もリーダライタ３２ｄにより記憶媒体４２から読み取られる。そして、最初に貨幣入出金機３０の紙幣処理装置３２におけるカセット装着部３２ｃに装着された収納カセット４０が、貨幣釣銭機２０の紙幣処理装置２２におけるカセット装着部２２ｃに最後に装着された収納カセット４０ではない場合には、装着順序判定手段５２は、貨幣入出金機３０における紙幣処理装置３２への収納カセット４０の装着の順序に誤りがあると判定する。そして、貨幣入出金機３０における紙幣処理装置３２への収納カセット４０の装着の順序に誤りがあると装着順序判定手段５２により判定されると、図７に示すように、紙幣処理装置３２のカセット装着部３２ｃに装着された収納カセット４０が貨幣釣銭機２０から最後に回収した収納カセット４０ではない旨の情報が操作表示部３９ａに表示される。また、紙幣処理装置３２のカセット装着部３２ｃに別の収納カセット４０を装着し直すことを操作者に促す旨のメッセージが操作表示部３９ａに表示される。このことにより、操作者は貨幣入出金機３０における紙幣処理装置３２への収納カセット４０の装着の順序に誤りがあることに気づくことができるようになる。
【００５１】
一方、最初に貨幣入出金機３０の紙幣処理装置３２におけるカセット装着部３２ｃに装着された収納カセット４０が、貨幣釣銭機２０の紙幣処理装置２２におけるカセット装着部２２ｃに最後に装着された収納カセット４０であった場合には、装着順序判定手段５２は、貨幣入出金機３０における紙幣処理装置３２への収納カセット４０の装着の順序が正しいと判定する。この場合には、回収処理において何番目に用いられたかという情報が当該収納カセット４０の記憶媒体４２からリーダライタ３２ｄにより読み取られることにより、回収処理において何個の収納カセット４０が用いられたかという情報を制御部３８は取得することができるようになる。すなわち、図６に示すような情報が記憶媒体４２に記憶されている収納カセット４０が貨幣入出金機３０の紙幣処理装置３２におけるカセット装着部３２ｃに装着された場合には、貨幣入出金機３０における紙幣処理装置３２への収納カセット４０の装着の順序が正しいと装着順序判定手段５２により判定されるとともに、回収処理において５個の収納カセット４０が用いられたという情報が制御部３８により取得されるようになる。その後、レジ担当者により２個目以降の収納カセット４０が貨幣入出金機３０の紙幣処理装置３２におけるカセット装着部３２ｃに装着され、この収納カセット４０から売上金としての紙幣が収納繰出部３２ａに送られるようになるが、貨幣入出金機３０の紙幣処理装置３２におけるカセット装着部３２ｃに装着されていない収納カセット４０が残っている場合には、操作表示部３９ａには図８に示すような画面が表示される。具体的には、貨幣入出金機３０の紙幣処理装置３２におけるカセット装着部３２ｃに装着されていない収納カセット４０が存在する旨の情報が操作表示部３９ａに表示されるとともに、未装着の収納カセット４０をカセット装着部３２ｃに装着することを操作者に促す旨のメッセージが操作表示部３９ａに表示されるようになる。このことにより、貨幣釣銭機２０の紙幣処理装置２２における収納繰出部２２ａから紙幣が送られた複数の収納カセット４０のうち、紙幣処理装置３２のカセット装着部３２ｃにまだ装着していない収納カセット４０が存在することに操作者は気づくことができるようになる。そして、貨幣釣銭機２０の紙幣処理装置２２における収納繰出部２２ａから紙幣が送られた複数の収納カセット４０が全て貨幣入出金機３０の紙幣処理装置３２におけるカセット装着部３２ｃに装着され、各収納カセット４０から紙幣が全て紙幣処理装置３２の収納繰出部３２ａに送られると、複数の収納カセット４０を用いた回収処理が終了する。
【００５２】
このようにして、１回の回収処理において複数の収納カセット４０が用いられるときに貨幣釣銭機２０における紙幣処理装置２２の内部（具体的には、収納繰出部２２ａ）から紙幣が送られた全ての収納カセット４０から貨幣入出金機３０における紙幣処理装置３２の内部（具体的には、収納繰出部３２ａ）に紙幣が送られたか否かが判定手段５０により判定される。なお、図１に示すように貨幣釣銭機２０が複数設けられている場合には、判定手段５０は、貨幣釣銭機２０における紙幣処理装置２２の内部から紙幣が送られた全ての収納カセット４０から貨幣入出金機３０における紙幣処理装置３２の内部に紙幣が送られたか否かを貨幣釣銭機２０毎に判定する。
【００５３】
また、本実施の形態では、複数の収納カセット４０を用いて回収処理を行う際に、貨幣入出金機３０の紙幣処理装置３２におけるカセット装着部３２ｃに収納カセット４０を１つずつ装着する途中で当該紙幣処理装置３２への紙幣の入金処理を中断させることができるようになっている。具体的には、図８に示すように貨幣入出金機３０の紙幣処理装置３２におけるカセット装着部３２ｃに装着されていない収納カセット４０が残っている状態で、レジ担当者等の操作者が操作表示部３９ａに表示されている「強制終了」ボタンを押下すると、各収納カセット４０から紙幣処理装置３２への紙幣の入金処理が中断される。また、この場合には、貨幣釣銭機２０の紙幣処理装置２２の内部（具体的には、収納繰出部２２ａ）から紙幣が送られたが貨幣入出金機３０の紙幣処理装置３２の内部（具体的には、収納繰出部３２ａ）に紙幣を送っていない収納カセット４０に係る情報が制御部３８から出力され、この出力された情報が操作表示部３９ａに表示される。具体的には、回収処理が中断された時点における、貨幣入出金機３０の紙幣処理装置３２におけるカセット装着部３２ｃに装着されていない収納カセット４０の数や識別情報（具体的には、識別番号）等の情報が操作表示部３９ａに表示される。また、貨幣入出金機３０の紙幣処理装置３２におけるカセット装着部３２ｃに装着されていない収納カセット４０に収納されている紙幣に係る情報も操作表示部３９ａに表示されるようになっていてもよい。このことにより、回収処理が中断されたときに、貨幣入出金機３０の紙幣処理装置３２におけるカセット装着部３２ｃに装着されていない収納カセット４０の数や識別情報を操作者は認識することができるようになる。
【００５４】
なお、本実施の形態の貨幣処理システムは、図１乃至図８に示すような、収納カセット４０に記憶媒体４２が設けられる態様のものに限定されることはない。本実施の形態の貨幣処理システムの他の例として、図９乃至図１２に示すような、収納カセット４０に記憶媒体４２ではなくバーコード等の識別用媒体４４が設けられるようなものが用いられてもよい。このような態様について以下に説明する。
【００５５】
図９乃至図１２は、本実施の形態の他の例に係る貨幣処理システム１０ａおよびこのような貨幣処理システム１０ａに設けられた貨幣釣銭機２０ａおよび貨幣入出金機３０ａを示す図である。なお、図９乃至図１２に示す貨幣釣銭機２０ａおよび貨幣入出金機３０ａを説明するにあたり、図１乃至図８に示す貨幣釣銭機２０および貨幣入出金機３０と同一の構成部材については同一の参照符合を付してその説明を省略する。
【００５６】
上述したように、図９乃至図１２に示す貨幣処理システム１０ａでは、貨幣釣銭機２０ａと貨幣入出金機３０ａとの間で紙幣の受け渡しを行う複数の収納カセット４０の各々には識別番号等の識別情報が対応付けられるようになっている。また、収納カセット４０には、当該収納カセット４０の識別情報を示すバーコード等の識別用媒体４４が設けられている。また、レジ担当者はＩＣカード等の携帯用記憶媒体４６を所持するようになっている。このような携帯用記憶媒体４６には、当該携帯用記憶媒体４６を所持する操作者の識別情報に加えて、回収処理や補充処理で用いられる収納カセット４０の識別番号等の識別情報、回収処理や補充処理で用いられる収納カセット４０に収納されている紙幣に係る情報（具体的には、紙幣の金種毎の枚数等の情報）、回収処理や補充処理が行われる貨幣釣銭機２０ａの識別情報等が記憶されるようになっている。
【００５７】
また、図１０に示すように、貨幣釣銭機２０ａの紙幣処理装置２２には、カセット装着部２２ｃに装着されている収納カセット４０の識別用媒体４４から当該収納カセット４０の識別情報を読み取るバーコードリーダ２２ｅが設けられている。このようなバーコードリーダ２２ｅが設けられていることにより、貨幣釣銭機２０ａの紙幣処理装置２２におけるカセット装着部２２ｃに収納カセット４０が装着されると、この収納カセット４０の識別番号等の識別情報がバーコードリーダ２２ｅによって識別用媒体４４から読み取られて制御部２８に送られるようになる。また、貨幣釣銭機２０ａには、操作者が所持するＩＣカード等の携帯用記憶媒体４６から情報を読み取ったり当該携帯用記憶媒体４６に情報を書き込んだりするリーダライタ２９ｅが設けられており、このようなリーダライタ２９ｅは制御部２８に接続されるようになっている。
【００５８】
また、図１１に示すように、貨幣入出金機３０ａの紙幣処理装置３２にも、カセット装着部３２ｃに装着されている収納カセット４０の識別用媒体４４から当該収納カセット４０の識別情報を読み取るバーコードリーダ３２ｅが設けられている。このようなバーコードリーダ３２ｅが設けられていることにより、貨幣入出金機３０ａの紙幣処理装置３２におけるカセット装着部３２ｃに収納カセット４０が装着されると、この収納カセット４０の識別番号等の識別情報がバーコードリーダ３２ｅによって識別用媒体４４から読み取られて制御部３８に送られるようになる。また、貨幣入出金機３０ａには、操作者が所持するＩＣカード等の携帯用記憶媒体４６から情報を読み取ったり当該携帯用記憶媒体４６に情報を書き込んだりするリーダライタ３９ｅが設けられており、このようなリーダライタ３９ｅは制御部３８に接続されるようになっている。
【００５９】
次に、このような貨幣処理システム１０ａにおいて回収処理が行われる際の動作（すなわち、図９において参照符合（ａ）で示す動作）について説明する。店舗の営業時間が終了すると、精算所で商品の精算業務を行っていたレジ担当者は貨幣釣銭機２０ａから貨幣や貨幣以外の媒体（例えば、商品券等）を回収する。具体的には、最初に、レジ担当者は、当該レジ担当者の識別番号等の識別情報が記憶されている携帯用記憶媒体４６を貨幣釣銭機２０ａのリーダライタ２９ｅにより読み取らせる。このことにより、操作者の識別情報が制御部２８により取得され、当該操作者の権限の認証が行われるようになる。そして、リーダライタ２９ｅにより携帯用記憶媒体４６から読み取られた操作者の権限が、貨幣釣銭機２０ａの紙幣処理装置２２から紙幣を回収することが認められた権限であると認証された場合には、レジ担当者は紙幣処理装置２２のカセット装着部２２ｃに空状態の収納カセット４０を装着することにより、紙幣処理装置２２の収納繰出部２２ａに収納されている売上金としての紙幣を収納カセット４０に収納させる。また、紙幣処理装置２２等から売上金としての紙幣等が回収された後、操作者が再び携帯用記憶媒体４６をリーダライタ２９ｅにより読み取らせると、紙幣処理装置２２等から回収された紙幣等に係る情報（具体的には、金種毎の枚数）等がリーダライタ２９ｅにより携帯用記憶媒体４６に書き込まれるようになる。
【００６０】
そして、フロント領域１２において貨幣釣銭機２０ａから貨幣や貨幣以外の媒体を回収したレジ担当者は、収納カセット４０等をまとめてフロント領域１２からバックヤード領域１４に運搬する。その後、レジ担当者は所持する携帯用記憶媒体４６に記憶されている情報を貨幣入出金機３０ａのリーダライタ３９ｅにより読み取らせる。このことにより、操作者の識別情報が制御部３８により取得され、当該操作者の権限の認証が行われるようになる。そして、リーダライタ３９ｅにより携帯用記憶媒体４６から読み取られた操作者の権限が、収納カセット４０から貨幣入出金機３０ａの紙幣処理装置３２に紙幣を入金することが認められた権限であると認証された場合には、レジ担当者は収納カセット４０を貨幣入出金機３０ａの紙幣処理装置３２におけるカセット装着部３２ｃに装着する。このことにより、収納カセット４０に収納されている売上金としての紙幣が当該収納カセット４０から繰り出されて紙幣処理装置３２の筐体の内部に送られ、この紙幣処理装置３２の収納繰出部３２ａに収納されるようになる。
【００６１】
また、図９乃至図１２に示す貨幣処理システム１０ａでも、図１乃至図８に示す貨幣処理システム１０と同様に、１回の取引において（言い換えると、１回の回収処理において）貨幣釣銭機２０ａから回収される紙幣の量が多い場合には、複数の収納カセット４０が用いられる場合がある。この場合、貨幣釣銭機２０ａにおける紙幣処理装置２２の内部（具体的には、収納繰出部２２ａ）から紙幣がそれぞれ送られた複数の収納カセット４０が貨幣入出金機３０ａに送られた後、貨幣入出金機３０ａにおいて１つずつ収納カセット４０から当該貨幣入出金機３０ａの紙幣処理装置３２の内部（具体的には、収納繰出部３２ａ）に紙幣が収納されるようになる。
【００６２】
より詳細には、貨幣処理システム１０ａにおいて複数の収納カセット４０を用いた回収処理が行われる際に、紙幣処理装置２２の収納繰出部２２ａから売上金としての紙幣が複数の収納カセット４０に送られた後、操作者が再び携帯用記憶媒体４６をリーダライタ２９ｅにより読み取らせると、紙幣処理装置２２の収納繰出部２２ａから紙幣が送られた収納カセット４０の識別番号等の識別情報が、カセット装着部２２ｃに装着された順番とともにリーダライタ２９ｅにより携帯用記憶媒体４６に書き込まれる（図１２参照）。すなわち、図１２に示す例では、識別番号が００８、００２、００１、００３、００５の収納カセット４０がこの順に紙幣処理装置２２のカセット装着部２２ｃに装着され、これらの収納カセット４０に紙幣処理装置２２の収納繰出部２２ａから紙幣が送られたという情報がリーダライタ２９ｅにより携帯用記憶媒体４６に書き込まれる。また、この際に、各収納カセット４０に収納された紙幣に係る情報も当該収納カセット４０の識別番号に関連付けられてリーダライタ２９ｅにより携帯用記憶媒体４６に書き込まれる。
【００６３】
そして、レジ担当者により複数の収納カセット４０がフロント領域１２からバックヤード領域１４に運搬され、各収納カセット４０が貨幣入出金機３０ａの紙幣処理装置３２におけるカセット装着部３２ｃに１つずつ装着されるが、本実施の形態ではカセット装着部３２ｃに収納カセット４０が装着される前に、レジ担当者の所持する携帯用記憶媒体４６に記憶されている情報が貨幣入出金機３０ａのリーダライタ３９ｅにより読み取られる。このことにより、制御部３８は、図１２に示すような、紙幣処理装置２２の収納繰出部２２ａから紙幣が送られた収納カセット４０の識別番号等の識別情報を、カセット装着部２２ｃに装着された順番とともに取得することができるようになる。このようにして、紙幣処理装置２２の収納繰出部２２ａから紙幣が送られた収納カセット４０の個数に係る情報も制御部３８により取得されるようになる。
【００６４】
その後、レジ担当者は複数の収納カセット４０を貨幣入出金機３０ａの紙幣処理装置３２におけるカセット装着部３２ｃに順次装着することにより、各収納カセット４０から売上金としての紙幣が収納繰出部３２ａに送られるようになる。ここで、カセット装着部３２ｃに装着された収納カセット４０の識別用媒体４４からバーコードリーダ３２ｅにより読み取られた収納カセット４０の識別番号が、携帯用記憶媒体４６からリーダライタ３９ｅにより読み取られた、紙幣処理装置２２の収納繰出部２２ａから紙幣が送られた収納カセット４０の識別番号と一致しない場合には、誤った収納カセット４０がカセット装着部３２ｃに装着されたと制御部３８により判断される。この場合には、誤った収納カセット４０がカセット装着部３２ｃに装着された旨のメッセージが操作表示部３９ａに表示されるようになる。一方、カセット装着部３２ｃに装着された収納カセット４０の識別用媒体４４からバーコードリーダ３２ｅにより読み取られた収納カセット４０の識別番号が、携帯用記憶媒体４６からリーダライタ３９ｅにより読み取られた、紙幣処理装置２２の収納繰出部２２ａから紙幣が送られた収納カセット４０の識別番号と一致する場合には、カセット装着部３２ｃに装着された収納カセット４０から紙幣が繰り出され、この繰り出された紙幣は収納繰出部３２ａに送られるようになる。
【００６５】
また、カセット装着部３２ｃに装着された収納カセット４０の個数が、携帯用記憶媒体４６からリーダライタ３９ｅにより読み取られた、紙幣処理装置２２の収納繰出部２２ａから紙幣が送られた収納カセット４０の個数に達していない場合には、カセット装着部３２ｃに装着されていない収納カセット４０が残っていると制御部３８により判断される。この場合には、操作表示部３９ａには図８に示すような画面が表示される。具体的には、貨幣入出金機３０ａの紙幣処理装置３２におけるカセット装着部３２ｃに装着されていない収納カセット４０が存在する旨の情報が操作表示部３９ａに表示されるとともに、未装着の収納カセット４０をカセット装着部３２ｃに装着することを操作者に促す旨のメッセージが操作表示部３９ａに表示されるようになる。このことにより、貨幣釣銭機２０ａの紙幣処理装置２２における収納繰出部２２ａから紙幣が送られた複数の収納カセット４０のうち、紙幣処理装置３２のカセット装着部３２ｃにまだ装着していない収納カセット４０が存在することに操作者は気づくことができるようになる。そして、貨幣釣銭機２０ａの紙幣処理装置２２における収納繰出部２２ａから紙幣が送られた複数の収納カセット４０が全て貨幣入出金機３０ａの紙幣処理装置３２におけるカセット装着部３２ｃに装着され、各収納カセット４０から紙幣が全て紙幣処理装置３２の収納繰出部３２ａに送られると、複数の収納カセット４０を用いた回収処理が終了する。
【００６６】
このようにして、１回の回収処理において複数の収納カセット４０が用いられるときに貨幣釣銭機２０ａにおける紙幣処理装置２２の内部（具体的には、収納繰出部２２ａ）から紙幣が送られた全ての収納カセット４０から貨幣入出金機３０ａにおける紙幣処理装置３２の内部（具体的には、収納繰出部３２ａ）に紙幣が送られたか否かが判定手段５０により判定される。なお、図９に示すように貨幣釣銭機２０ａが複数設けられている場合には、判定手段５０は、貨幣釣銭機２０ａにおける紙幣処理装置２２の内部から紙幣が送られた全ての収納カセット４０から貨幣入出金機３０ａにおける紙幣処理装置３２の内部に紙幣が送られたか否かを貨幣釣銭機２０ａ毎に判定する。
【００６７】
また、本実施の形態における貨幣処理システムの更に他の例として、図１３に示すような、各貨幣釣銭機２０ａと貨幣入出金機３０ａとがＬＡＮ１６等によって有線または無線により互いに通信可能に接続されている貨幣処理システム１０ｂが用いられてもよい。なお、図１３に示す貨幣処理システム１０ｂでは、図９乃至図１２に示す貨幣処理システム１０ａと比較して、ＩＣカード等の携帯用記憶媒体４６が用いられず、代わりに各貨幣釣銭機２０ａと貨幣入出金機３０ａとがＬＡＮ１６等によって有線または無線により互いに通信可能に接続される点が異なるのみであり、他の部分については概ね略同一の構成となっている。図１３に示す貨幣処理システム１０ｂを説明するにあたり、図９乃至図１２に示す貨幣処理システム１０ａと同一の構成部材については同一の参照符合を付してその説明を省略する。
【００６８】
図１３に示す貨幣処理システム１０ｂにおいて回収処理が行われる際の動作（すなわち、図１３において参照符合（ａ）で示す動作）について説明する。店舗の営業時間が終了すると、精算所で商品の精算業務を行っていたレジ担当者は貨幣釣銭機２０ａから貨幣や貨幣以外の媒体（例えば、商品券等）を回収する。具体的には、レジ担当者は、紙幣処理装置２２のカセット装着部２２ｃに空状態の収納カセット４０を装着することにより、紙幣処理装置２２の収納繰出部２２ａに収納されている売上金としての紙幣を収納カセット４０に収納させる。また、カセット装着部２２ｃに装着された収納カセット４０の識別用媒体４４からバーコードリーダ２２ｅにより当該収納カセット４０の識別番号等の識別情報が読み取られ、この収納カセット４０の識別情報はＬＡＮ１６により貨幣釣銭機２０ａの制御部２８から貨幣入出金機３０ａの制御部３８に送信される。また、紙幣処理装置２２の収納繰出部２２ａから収納カセット４０に送られた紙幣に係る情報（具体的には、紙幣の金種毎の枚数）もＬＡＮ１６により貨幣釣銭機２０ａの制御部２８から貨幣入出金機３０ａの制御部３８に送信される。
【００６９】
そして、フロント領域１２において貨幣釣銭機２０ａから貨幣や貨幣以外の媒体を回収したレジ担当者は、収納カセット４０等をまとめてフロント領域１２からバックヤード領域１４に運搬する。その後、レジ担当者は収納カセット４０を貨幣入出金機３０ａの紙幣処理装置３２におけるカセット装着部３２ｃに装着する。このことにより、収納カセット４０に収納されている売上金としての紙幣が当該収納カセット４０から繰り出されて紙幣処理装置３２の筐体の内部に送られ、この紙幣処理装置３２の収納繰出部３２ａに収納されるようになる。
【００７０】
また、図１３に示す貨幣処理システム１０ｂでも、図１乃至図８に示す貨幣処理システム１０や図９乃至１２に示す貨幣処理システム１０ａと同様に、１回の取引において（言い換えると、１回の回収処理において）貨幣釣銭機２０ａから回収される紙幣の量が多い場合には、複数の収納カセット４０が用いられる場合がある。この場合、貨幣釣銭機２０ａにおける紙幣処理装置２２の内部（具体的には、収納繰出部２２ａ）から紙幣がそれぞれ送られた複数の収納カセット４０が貨幣入出金機３０ａに運搬された後、貨幣入出金機３０ａにおいて１つずつ収納カセット４０から当該貨幣入出金機３０ａの紙幣処理装置３２の内部（具体的には、収納繰出部３２ａ）に紙幣が収納されるようになる。
【００７１】
より詳細には、貨幣処理システム１０ａにおいて複数の収納カセット４０を用いた回収処理が行われる際に、紙幣処理装置２２の収納繰出部２２ａから売上金としての紙幣が複数の収納カセット４０に送られた後、紙幣処理装置２２の収納繰出部２２ａから紙幣が送られた複数の収納カセット４０の識別番号等の識別情報が、カセット装着部２２ｃに装着された順番に係る情報とともにＬＡＮ１６により貨幣釣銭機２０ａの制御部２８から貨幣入出金機３０ａの制御部３８に送信される。また、各収納カセット４０に収納された紙幣に係る情報も当該収納カセット４０の識別番号に関連付けられてＬＡＮ１６により貨幣釣銭機２０ａの制御部２８から貨幣入出金機３０ａの制御部３８に送信される。このことにより、紙幣処理装置２２の収納繰出部２２ａから紙幣が送られた収納カセット４０の個数に係る情報も制御部３８により取得されるようになる。
【００７２】
そして、レジ担当者により複数の収納カセット４０がフロント領域１２からバックヤード領域１４に運搬され、各収納カセット４０が貨幣入出金機３０ａの紙幣処理装置３２におけるカセット装着部３２ｃに１つずつ装着される。このことにより、各収納カセット４０から売上金としての紙幣が収納繰出部３２ａに送られるようになる。ここで、カセット装着部３２ｃに装着された収納カセット４０の識別用媒体４４からバーコードリーダ３２ｅにより読み取られた収納カセット４０の識別番号が、ＬＡＮ１６により貨幣釣銭機２０ａの制御部２８から貨幣入出金機３０ａの制御部３８に送信された、紙幣処理装置２２の収納繰出部２２ａから紙幣が送られた収納カセット４０の識別番号と一致しない場合には、誤った収納カセット４０がカセット装着部３２ｃに装着されたと制御部３８により判断される。この場合には、誤った収納カセット４０がカセット装着部３２ｃに装着された旨のメッセージが操作表示部３９ａに表示されるようになる。一方、カセット装着部３２ｃに装着された収納カセット４０の識別用媒体４４からバーコードリーダ３２ｅにより読み取られた収納カセット４０の識別番号が、ＬＡＮ１６により貨幣釣銭機２０ａの制御部２８から貨幣入出金機３０ａの制御部３８に送信された、紙幣処理装置２２の収納繰出部２２ａから紙幣が送られた収納カセット４０の識別番号と一致する場合には、カセット装着部３２ｃに装着された収納カセット４０から紙幣が繰り出され、この繰り出された紙幣は収納繰出部３２ａに送られるようになる。
【００７３】
また、カセット装着部３２ｃに装着された収納カセット４０の個数が、ＬＡＮ１６により貨幣釣銭機２０ａの制御部２８から貨幣入出金機３０ａの制御部３８に送信された、紙幣処理装置２２の収納繰出部２２ａから紙幣が送られた収納カセット４０の個数に達していない場合には、カセット装着部３２ｃに装着されていない収納カセット４０が残っていると制御部３８により判断される。この場合には、操作表示部３９ａには図８に示すような画面が表示される。具体的には、貨幣入出金機３０ａの紙幣処理装置３２におけるカセット装着部３２ｃに装着されていない収納カセット４０が存在する旨の情報が操作表示部３９ａに表示されるとともに、未装着の収納カセット４０をカセット装着部３２ｃに装着することを操作者に促す旨のメッセージが操作表示部３９ａに表示されるようになる。このことにより、貨幣釣銭機２０ａの紙幣処理装置２２における収納繰出部２２ａから紙幣が送られた複数の収納カセット４０のうち、紙幣処理装置３２のカセット装着部３２ｃにまだ装着していない収納カセット４０が存在することに操作者は気づくことができるようになる。そして、貨幣釣銭機２０ａの紙幣処理装置２２における収納繰出部２２ａから紙幣が送られた複数の収納カセット４０が全て貨幣入出金機３０ａの紙幣処理装置３２におけるカセット装着部３２ｃに装着され、各収納カセット４０から紙幣が全て紙幣処理装置３２の収納繰出部３２ａに送られると、複数の収納カセット４０を用いた回収処理が終了する。
【００７４】
このようにして、紙幣の回収処理において複数の収納カセット４０が用いられるときに貨幣釣銭機２０ａにおける紙幣処理装置２２の内部（具体的には、収納繰出部２２ａ）から紙幣が送られた全ての収納カセット４０から貨幣入出金機３０ａにおける紙幣処理装置３２の内部（具体的には、収納繰出部３２ａ）に紙幣が送られたか否かが判定手段５０により判定される。なお、図９に示すように貨幣釣銭機２０ａが複数設けられている場合には、判定手段５０は、貨幣釣銭機２０ａにおける紙幣処理装置２２の内部から紙幣が送られた全ての収納カセット４０から貨幣入出金機３０ａにおける紙幣処理装置３２の内部に紙幣が送られたか否かを貨幣釣銭機２０ａ毎に判定する。
【００７５】
また、図８乃至図１２に示す貨幣処理システム１０ａや図１３に示す貨幣処理システム１０ｂにおいて、複数の収納カセット４０を用いて回収処理を行う際に、貨幣入出金機３０ａの紙幣処理装置３２におけるカセット装着部３２ｃに収納カセット４０を１つずつ装着する途中で当該紙幣処理装置３２への紙幣の入金処理を中断させることができるようになっている。具体的には、図８に示すように貨幣入出金機３０ａの紙幣処理装置３２におけるカセット装着部３２ｃに装着されていない収納カセット４０が残っている状態で、レジ担当者等の操作者が操作表示部３９ａに表示される「強制終了」ボタンを押下すると、各収納カセット４０から紙幣処理装置３２への紙幣の入金処理が中断される。また、この場合には、貨幣釣銭機２０ａの紙幣処理装置２２の内部（具体的には、収納繰出部２２ａ）から紙幣が送られたが貨幣入出金機３０ａの紙幣処理装置３２の内部（具体的には、収納繰出部３２ａ）に紙幣を送っていない収納カセット４０に係る情報が制御部３８から出力され、この出力された情報は操作表示部３９ａに表示される。具体的には、回収処理が中断された時点における、貨幣入出金機３０ａの紙幣処理装置３２におけるカセット装着部３２ｃに装着されていない収納カセット４０の数や識別情報（具体的には、識別番号）等の情報が操作表示部３９ａに表示される。また、貨幣入出金機３０ａの紙幣処理装置３２におけるカセット装着部３２ｃに装着されていない収納カセット４０に収納されている紙幣に係る情報も操作表示部３９ａに表示されるようになっていてもよい。このことにより、回収処理が中断されたときに、貨幣入出金機３０ａの紙幣処理装置３２におけるカセット装着部３２ｃに装着されていない収納カセット４０の数や識別情報を操作者は認識することができるようになる。
【００７６】
なお、図１３に示す貨幣処理システム１０ｂでは、各貨幣釣銭機２０ａおよび貨幣入出金機３０ａがＬＡＮ１６により互いに通信可能に接続されるとともに、各収納カセット４０にそれぞれバーコード等の識別用媒体４４が設けられているような例について述べたが、本実施の形態はこのような例に限定されることはない。本実施の形態の更に他の例として、図１乃至図８に示す貨幣処理システム１０において、各貨幣釣銭機２０および貨幣入出金機３０がＬＡＮにより互いに通信可能に接続され、回収処理において複数の収納カセット４０が用いられる際に貨幣釣銭機２０の内部から紙幣が送られた収納カセットの数に係る情報が貨幣釣銭機２０の制御部２８から貨幣入出金機３０の制御部３８に送信されるようになっていてもよい。この場合には、判定手段５０は、貨幣釣銭機２０の制御部２８から貨幣入出金機３０の制御部３８に送信された、回収処理において貨幣釣銭機２０の内部から紙幣が送られた収納カセット４０の数と、貨幣入出金機３０に装着された収納カセット４０との数とに基づいて、貨幣釣銭機２０の内部から紙幣が送られた全ての収納カセット４０から貨幣入出金機３０の内部に紙幣が送られたか否かを判定するようになる。
【００７７】
以上のような構成からなる本実施の形態の貨幣処理システム１０、１０ａ、１０ｂによれば、貨幣釣銭機２０、２０ａから紙幣を回収して貨幣入出金機３０、３０ａに入金させる回収処理において複数の収納カセット４０が用いられるときに貨幣釣銭機２０、２０ａの内部から紙幣が送られた全ての収納カセット４０から貨幣入出金機３０、３０ａの内部に紙幣が送られたか否かを判定する判定手段５０が設けられている。このように、１回の回収処理において複数の収納カセット４０が用いられるときに貨幣釣銭機２０、２０ａの内部から紙幣が送られた全ての収納カセット４０から貨幣入出金機３０、３０ａの内部に紙幣が送られたか否かを判定することにより、操作者が複数の収納カセット４０のうち１つまたはいくつかの収納カセット４０を貨幣入出金機３０、３０ａに装着し忘れてしまうことを抑制することができ、よって貨幣入出金機３０、３０ａにおいて違算が発生することを防止することができる。
【００７８】
より詳細に説明すると、従来の貨幣処理システムでは、１回の回収処理において複数の収納カセットが用いられる場合、貨幣釣銭機の内部から何個の収納カセットに紙幣が収納されたかを貨幣入出金機側で認識することができないため、操作者は複数の収納カセットのうち１つまたはいくつかの収納カセットを貨幣入出金機に装着し忘れてしまうおそれがある。この場合には、貨幣入出金機において違算が発生してしまうという問題がある。これに対し、本実施の形態では、１回の回収処理において複数の収納カセット４０が用いられるときに貨幣釣銭機２０、２０ａの内部から貨幣が送られた全ての収納カセット４０から貨幣入出金機３０、３０ａの内部に貨幣が送られたか否かを判定することにより、このような従来の貨幣処理システムの問題を解消することができるようになる。
【００７９】
また、本実施の形態の貨幣処理システム１０、１０ａ、１０ｂにおいては、上述したように、判定手段５０による判定結果に基づいて、回収処理において貨幣釣銭機２０、２０ａの内部から紙幣が送られた全ての収納カセット４０から貨幣入出金機３０、３０ａの内部に紙幣が送られたか否かに係る情報が操作表示部３９ａに表示されるようになっている（図８参照）。このように、操作表示部３９ａは、判定手段５０による判定結果に基づいて、回収処理において貨幣釣銭機２０、２０ａの内部から紙幣が送られた全ての収納カセット４０から貨幣入出金機３０、３０ａの内部に紙幣が送られたか否かに係る情報を報知する報知手段として機能するようになる。なお、このような報知手段は操作表示部３９ａに限定されることはなく、音声等の他の方法により操作者に報知を行うようになっていてもよい。
【００８０】
また、本実施の形態の貨幣処理システム１０、１０ａ、１０ｂにおいては、上述したように、判定手段５０は、貨幣釣銭機２０、２０ａの内部から紙幣が送られた収納カセット４０の数と、貨幣入出金機３０、３０ａの内部に紙幣を送った収納カセット４０との数とが一致しない場合に、回収処理において貨幣釣銭機２０、２０ａの内部から貨幣が送られた全ての収納カセット４０から貨幣入出金機３０、３０ａの内部に貨幣が送られていないと判定するようになっている。
【００８１】
また、図１乃至図８に示す貨幣処理システム１０においては、回収処理において貨幣釣銭機２０の内部から最後に紙幣が送られた収納カセット４０の記憶媒体４２にはリーダライタ２２ｄ（第１書込部）により最後に紙幣が送られた収納カセット４０である旨の情報および貨幣釣銭機２０の内部から紙幣が送られた収納カセット４０の数に係る情報が書き込まれるようになっている。なお、図６に示す例では、貨幣釣銭機２０の内部から紙幣が送られた収納カセット４０の数として、回収処理において収納カセット４０が何番目に用いられたかという情報がリーダライタ２２ｄにより記憶媒体４２に書き込まれる。しかしながら、本実施の形態はこのような態様に限定されることはなく、回収処理において収納カセット４０が何番目に用いられたかという情報の代わりに、または回収処理において収納カセット４０が何番目に用いられたかという情報に加えて、貨幣釣銭機２０の内部から紙幣が送られた収納カセット４０の数自体がリーダライタ２２ｄにより記憶媒体４２に書き込まれるようになっていてもよい。また、判定手段５０は、貨幣入出金機３０のリーダライタ３２ｄ（第１読取部）により収納カセット４０に設けられている記憶媒体４２から読み取られた、回収処理において貨幣釣銭機２０の内部から紙幣が送られた収納カセット４０の数と、貨幣入出金機３０に装着された収納カセット４０との数とに基づいて、貨幣釣銭機２０の内部から紙幣が送られた全ての収納カセット４０から貨幣入出金機３０の内部に紙幣が送られたか否かを判定するようになっている。
【００８２】
また、図９乃至図１２に示す貨幣処理システム１０ａにおいては、回収処理において貨幣釣銭機２０ａの内部から紙幣が送られた収納カセット４０の数に係る情報が貨幣釣銭機２０ａのリーダライタ２９ｅ（第２書込部）により携帯用記憶媒体４６に書き込まれるようになっている。また、判定手段５０は、貨幣入出金機３０ａのリーダライタ３９ｅ（第２読取部）により携帯用記憶媒体４６から読み取られた、回収処理において貨幣釣銭機２０ａの内部から紙幣が送られた収納カセット４０の数と、貨幣入出金機３０ａに装着された収納カセット４０との数とに基づいて、貨幣釣銭機２０ａの内部から紙幣が送られた全ての収納カセット４０から貨幣入出金機３０ａの内部に紙幣が送られたか否かを判定するようになっている。
【００８３】
また、図１３に示す貨幣処理システム１０ｂにおいては、貨幣釣銭機２０ａおよび貨幣入出金機３０ａは通信可能に接続されており、回収処理において貨幣釣銭機２０ａの内部から紙幣が送られた収納カセット４０の数に係る情報が貨幣釣銭機２０ａから貨幣入出金機３０ａに送信されるようになっている。また、判定手段５０は、貨幣釣銭機２０ａから貨幣入出金機３０ａに送信された、回収処理において貨幣釣銭機２０ａの内部から紙幣が送られた収納カセット４０の数と、貨幣入出金機３０ａに装着された収納カセット４０との数とに基づいて、貨幣釣銭機２０ａの内部から紙幣が送られた全ての収納カセット４０から貨幣入出金機３０ａの内部に紙幣が送られたか否かを判定するようになっている。
【００８４】
また、本実施の形態の貨幣処理システム１０、１０ａ、１０ｂにおいては、上述したように、回収処理が途中で中断されたときに、貨幣釣銭機２０、２０ａの内部から紙幣が送られたが貨幣入出金機３０、３０ａの内部に紙幣を送っていない収納カセット４０に係る情報が制御部３８から出力され、この出力された情報が操作表示部３９ａに表示されるようになっている。このように、制御部３８は、回収処理が途中で中断されたときに貨幣釣銭機２０、２０ａの内部から紙幣が送られたが貨幣入出金機３０、３０ａの内部に紙幣を送っていない収納カセット４０に係る情報を出力する未処理カセット情報出力手段として機能するようになる。
【００８５】
また、本実施の形態の貨幣処理システム１０、１０ａ、１０ｂにおける貨幣入出金機３０、３０ａにおいては、他の装置（具体的には、貨幣釣銭機２０、２０ａ）から貨幣を回収して貨幣入出金機３０、３０ａに入金させる回収処理においてカセット装着部３２ｃに収納カセット４０が装着されると当該収納カセット４０から貨幣入出金機３０、３０ａの内部に紙幣が送られるようになっている。また、貨幣入出金機３０、３０ａには、回収処理において複数の収納カセット４０が用いられる際に他の装置の内部から紙幣が送られた全ての収納カセット４０から貨幣入出金機３０、３０ａに紙幣が送られたか否かを判定する判定手段５０が設けられている。
【００８６】
また、本実施の形態の貨幣処理システム１０、１０ａ、１０ｂにおける貨幣釣銭機２０、２０ａにおいては、当該貨幣釣銭機２０、２０ａから貨幣を回収して他の装置（具体的には、貨幣入出金機３０、３０ａ）に入金させる回収処理においてカセット装着部２２ｃに収納カセット４０が装着されると貨幣釣銭機２０、２０ａの内部から当該収納カセット４０に紙幣が送られるようになっている。また、制御部２８は、回収処理において複数の収納カセット４０が用いられる際に、貨幣釣銭機２０、２０ａの内部から紙幣が送られた収納カセット４０の数に係る情報を出力するようになっている。このように、制御部２８は、回収処理において複数の収納カセット４０が用いられる際に貨幣釣銭機２０、２０ａの内部から紙幣が送られた収納カセット４０の数に係る情報を出力するカセット数出力手段として機能するようになる。
【００８７】
なお、本発明による貨幣処理システムは、上述したような態様に限定されることはなく、様々な変更を加えることができる。
【００８８】
図１乃至図１３に示す貨幣処理システム１０、１０ａ、１０ｂでは、貨幣入出金機３０、３０ａの紙幣処理装置３２において収納カセット４０が装着されるカセット装着部３２ｃが設けられているが、このような態様に限定されることはない。変形例に係る貨幣処理システムにおいて、貨幣入出金機の紙幣処理装置にカセット装着部が設けられる代わりに、紙幣処理装置の入金口や入出金口に収納カセットが着脱自在に装着されるようになっていてもよい。この場合には、回収処理が行われる際に、紙幣処理装置の入金口や入出金口に収納カセットが装着されると、収納カセットから繰り出された紙幣を入金口や入出金口により紙幣処理装置の筐体内に送ることができるようになる。
【００８９】
また、別の変形例に係る貨幣処理システムにおいて、フロント領域に設けられる各貨幣釣銭機の硬貨処理装置と、バックヤード領域に設けられる貨幣入出金機の硬貨処理装置との間で収納カセットにより硬貨の受け渡しが行われるようになっていてもよい。この場合には、硬貨を収納するとともに収納されている硬貨の繰り出しを行う収納カセットが、各貨幣釣銭機の硬貨処理装置および貨幣入出金機の硬貨処理装置にそれぞれ着脱自在に装着されるようになる。また、このような貨幣処理システムでは、貨幣釣銭機の硬貨処理装置から硬貨を回収して貨幣入出金機の硬貨処理装置に入金させる回収処理において複数の収納カセットが用いられるときに貨幣釣銭機の硬貨処理装置の内部から硬貨が送られた全ての収納カセットから貨幣入出金機の硬貨処理装置の内部に硬貨が送られたか否かを判定する判定手段が設けられている。このように、回収処理において複数の収納カセットが用いられるときに貨幣釣銭機の硬貨処理装置の内部から硬貨が送られた全ての収納カセットから貨幣入出金機の硬貨処理装置の内部に紙幣が送られたか否かを判定することにより、操作者が複数の収納カセットのうち１つまたはいくつかの収納カセットを貨幣入出金機の硬貨処理装置に装着し忘れてしまうことを抑制することができ、よって貨幣入出金機の硬貨処理装置において違算が発生することを防止することができる。
【符号の説明】
【００９０】
１０、１０ａ、１０ｂ  貨幣処理システム
１２    フロント領域
１４    バックヤード領域
２０、２０ａ  貨幣釣銭機
２２    紙幣処理装置
２２ａ  収納繰出部
２２ｂ  紙幣処理部
２２ｃ  カセット装着部
２２ｄ  リーダライタ
２２ｅ  バーコードリーダ
２４    硬貨処理装置
２４ａ  収納繰出部
２４ｂ  硬貨処理部
２６    包装硬貨収納装置
２６ａ  ロック機構
２８    制御部
２９ａ  操作表示部
２９ｂ  記憶部
２９ｃ  通信インターフェース部
２９ｄ  印字部
２９ｅ  リーダライタ
３０、３０ａ  貨幣入出金機
３２    紙幣処理装置
３２ａ  収納繰出部
３２ｂ  紙幣処理部
３２ｃ  カセット装着部
３２ｄ  リーダライタ
３２ｅ  バーコードリーダ
３４    硬貨処理装置
３４ａ  収納繰出部
３４ｂ  硬貨処理部
３６    包装硬貨収納装置
３６ａ  ロック機構
３８    制御部
３９ａ  操作表示部
３９ｂ  記憶部
３９ｃ  通信インターフェース部
３９ｄ  印字部
３９ｅ  リーダライタ
４０    収納カセット
４０ａ  開口
４２    記憶媒体
４４    識別用媒体
４６    携帯用記憶媒体
５０    判定手段
５２    装着順序判定手段
６０    ＰＯＳレジスタ
【図１】
2019008601.tif 000003
【図２】
2019008601.tif 000004
【図３】
2019008601.tif 000005
【図４】
2019008601.tif 000006
【図５】
2019008601.tif 000007
【図６】
2019008601.tif 000008
【図７】
2019008601.tif 000009
【図８】
2019008601.tif 000010
【図９】
2019008601.tif 000011
【図１０】
2019008601.tif 000012
【図１１】
2019008601.tif 000013
【図１２】
2019008601.tif 000014
【図１３】
2019008601.tif 000015